Podtech/llm-jp-corpus-v4-ja_patent huggingface dataset:
(57)【要約】      （修正有）【課題】窓枠の屋内側から粘着素材を使用せずに設置可能で、窓枠のリフォーム等の必要がなく雨風の侵入を防止することが出来るクッションアイテムを提供する。【解決手段】高反発のクッション性を持ち、横から見た際の断面が扇型の、長細い棒状のアイテム１を窓枠２に直接差し込むことで、窓枠の「上下」「左右」部分のすきま風を防ぐことが出来る。高反発でクッション性のある素材は、発泡ポリエチレンなどである。【選択図】図２
0003235292.tif 000002
【実用新案登録請求の範囲】
【請求項１】
住宅などの窓枠から屋内に入り込むすきま風（冬の冷気）や雨の浸水を防ぐための、窓枠の屋内側から粘着素材を使用せずに設置可能な、長細い棒状の高反発性のクッションアイテム。
【考案の詳細な説明】
【技術分野】
【０００１】  本考案は、住宅などの窓枠から屋内に入り込むすきま風（冬の冷気）や雨の浸水を防ぐための、窓枠の屋内側から粘着素材を使用せずに設置可能な、長細い棒状の高反発性のクッションアイテムに関するものである。
【背景技術】
【０００２】  築年数の長い住宅などの窓枠は、長年の外気に晒されることによる経年劣化が原因で密封性が損なわれ、すきま風（や浸水）が発生することがある。窓枠は一般的に新しい物に取り換えるのは大がかりなリフォーム対象となる。また、窓枠は分譲マンション等の場合一般的に共有部分であるため、すきま風が発生している部屋の住民の一存でリフォームすることは困難である。
これを解決するための従来のすきま風防止方法として、個々の窓枠に対し、１）窓枠の開閉部（縦枠）の凹部分の内側に長細いテープ状のクッション素材を両面テープなどの粘着素材で貼り付けるものがある。窓を閉じた際の密閉性を高めることで外気を防ぐことが出来る。しかし、この形状では窓のスライド部分（上下枠）に貼って使用することが出来ない。
また、２）窓のスライド部分（上下枠）、および開閉部（縦枠）に外側から貼り外気が入り込む部分を遮断することですきま風を防ぐ弁状（シリコン素材など）のものがある。しかし、これらは使用開始後に晒される過酷な外気や日照に対する耐久性を維持するために粘着性の高いテープを使用しているため、退去時など不要になった際に剥がしにくく跡が残る。また、建物の２階以上やベランダの無い窓には外から貼り付けることが難しい。
上記の従来方法以外で、より利便性が良く確実にすきま風を防ぐことが出来る方法は無いかと考えた。
【先行技術文献】
【特許文献】
【０００３】
【特許文献１】特開平６−１８５２７１
【特許文献２】特開平１１−１３３５６
【特許文献３】特開昭５９−８５０８６
【非特許文献】
【０００４】
【非特許文献１】インターネット通販等で入手出来る「すきま風防止テープ」（商品名のないまま販売されている）
【考案の概要】
【考案が解決しようとする課題】
【０００５】・窓枠の交換や工具などを使用したパーツの交換など、大掛かりな改修を必要とする点。
・両面テープなどで貼ることで、粘着性の糊が付着し跡が残る点。賃貸物件の退去時、原状復帰する際に問題になる。
・すきま風防止素材自体の経年劣化（ボロボロになる、剥がれる）の際、交換作業が煩雑である点。
・窓枠の開閉部（縦枠）とスライド部分（上下枠）の両方を防ぐことが出来ない点。
・外から貼り付けるのが困難な場所での使用が困難である点。
【課題を解決するための手段】
【０００６】  高反発のクッション性を持ち、横から見た際の断面が扇型の、長細い棒状のアイテム（以下、本アイテム）を窓枠に直接差し込むことで、窓枠の「上下」「左右」部分のすきま風を防ぐことが出来る。
高反発でクッション性のある素材は、既に生活環境で使用されているものを想定しており、例えばプールで使用するビート板やプールスティック（共に水泳用具）などの発泡ポリエチレンなどである。
【考案の効果】
【０００７】  本アイテムを窓枠の空間に差し込むことで、素材の反発力を活かして密閉性が確保出来、すきま風や雨の侵入を防ぐことが出来る。窓枠の型や幅・高さなどは家ごとに異なるが、本アイテムの素材が発泡ポリエチレンなどであるため、カッターなどを使用して任意の長さや厚さに調整可能である。また、断面を扇型にすることで、窓枠の幅の差を吸収出来る。
【図面の簡単な説明】
【０００８】
【図１】本考案のすきま風防止装置の斜め角度から見た図である。
【図２】本考案の一実施例による窓枠の使用断面図である。
【考案を実施するための形態】
【０００９】  扇型で長細い棒状のアイテムを扇型の狭い方を下向きにして窓枠の空間に差し込む。そのままで固定される場合はそのままでも良いが、窓枠の空間が狭くアイテムが浮いてしまう場合は、扇型の広い方を上から押し込むことで密着性を高めることが出来る。
取り外す場合は、アイテムの端を上に引き上げることで簡単に取り外しが可能である。
【符号の説明】
【０００９】１  すきま風防止装置（本アイテム）
２  アルミサッシ静止窓枠
３  アルミガラス窓
【図１】
0003235292.tif 000003
【図２】
0003235292.tif 000004
(57)【要約】      （修正有）【課題】手袋の機能改善のために親指以外の４本の指をそれぞれ２本ずつ一つの収納部位に入れることによって用途に応じて着脱の容易化と保温性の向上を図る、簡易型手袋を提供する。【解決手段】親指が挿入されるべき第１の挿入部位１と、人さし指及び中指が共に挿入されるべき第２の挿入部位２と、薬指及び小指が挿入されるべき第３の挿入部位３を備えた手袋を提供するものである。【選択図】図１
0003235209.tif 000002
【実用新案登録請求の範囲】
【請求項１】
親指が挿入されるべき第１の挿入部位と、人さし指及び中指が共に挿入されるべき第２の挿入部位と、薬指及び小指が挿入されるべき第３の部位を備えたことを特徴とする手袋。
【考案の詳細な説明】
【技術分野】
【０００１】  本考案は、一般に使用される手袋に関するものである。形状を検討した結果、着脱が容易な上、内部の蒸れが少なく、防寒性に優れており、用途の広い手袋に関するものである。
【背景技術】
【０００２】  一般に使用されている手袋は５本の指をそれぞれの挿入部位に収める形状になっているものである。本考案の手袋は親指が挿入されるべき第１の挿入部位と、人さし指及び中指が共に挿入されるべき第２の挿入部位と、薬指及び小指が挿入されるべき第３の部位を備えた手袋であり、この形状によってそれぞれの用途においてこれまでのものより優れた特徴を有する手袋を提供するものである。
〔非特許文献に代わる参考商品紹介〕【０００３】  市販されている３本指の手袋は、親指と人差し指をそれぞれの挿入部位に挿入し、その他の３本の指をまとめて挿入する如く形成されたものである。これは、上記２本の指を有効に使用して、他の指はあまり使用しないごとき作業（例えば電気溶接など）のために特別に製造されたものである。
本考案は、それとは異なり広い用途で利便性を有する３本指の手袋に関するものである。【０００４】  本考案の場合は、形状は上記のごときであっても、素材を変えることで違った利便性を発揮することが出来る。例示すれば薄いポリオレフィン系の素材で形成したものでは、主な用途は医療、防菌などであるが、この場合は手早く着脱が出来ることが求められている。しかし、現状の５本指の手袋ではそれぞれの挿入部位に１本ずつ指を入れることと、脱ぐときに湿気によって指と手袋が貼り付き、その処理のためにかなりの時間を要する。本案の手袋は人差し指と中指、および薬指と小指がそれぞれ２本ずつ挿入部位に挿入されているため、指をわずかに動かすことで、この貼り付き状態を解除することができる。また、指との間に隙間を作ることが容易な為、ほとんど瞬時に脱ぐことができる。【０００５】  また、やや厚手の皮革などで製造した場合は、一つの挿入部位に２本の指が一緒に入っていることで防寒条件が大幅に改善される。このことは元々４本指を一緒に収納するミトンの防寒効果が高い事でも証明されている
更に外形上フラットな面積が大きいのでデザイン上も自由度が大きく嗜好性に合わせやすいという商業的優位性も高い。
【考案の概要】
【考案が解決しようとする課題】
【０００６】  本考案の主な目的は、手袋の機能改善のために親指以外の４本の指をそれぞれ２本ずつ一つの収納部位に入れることによって用途に応じて着脱の容易化と保温性の向上を図ることにある。【０００７】  その課題は上記目的のために手袋自体の使い易さや物をつかむ機能などを損なってはならない。４本の指をまとめて挿入部位に入れる構造のいわゆるミトンは、着脱は容易であるが、小さなものを掴むとき４本の指が一緒に動かなくてはならないため器用に扱うことがやや難しい。人差し指だけと他の３本をまとめて挿入するタイプは人差し指の挿入がやや面倒である。上記の不具合を改善することが本考案の課題である。
【課題を解決するための手段】
【０００８】  上記のように本考案の手袋は親指が挿入されるべき第１の挿入部位と、人さし指及び中指が共に挿入されるべき第２の挿入部位と、薬指及び小指が挿入されるべき第３の部位を備えた手袋を提供する。
【考案の効果】
【０００９】  上記構造の手袋は使用上で指先の器用さを損なうことが少なく、用途に応じて着脱の容易化と保温性の向上を図ることにある。
【図面の簡単な説明】
【００１０】
【図１】図１は、本考案の手袋の１実施例の形状を示す平面図である。
【考案を実施するための形態】
【００１１】  本考案の手袋は親指が挿入されるべき第１の挿入部位と、人さし指及び中指が共に挿入されるべき第２の挿入部位と、薬指及び小指が挿入されるべき第３の部位を備えている。
【実施例】
【００１２】本考案は上記課題を解決するための合理的な技術であり、その手段は極めて簡単である。以下上記の図とともにその構造を説明する。
図１において本考案の手袋は親指を挿入すべき第１の挿入部位１と人差し指と中指を挿入すべき第２の挿入部位２と薬指と小指を挿入すべき第３の挿入部位３と手の平部位４と手首部位５で構成されている。点線で示す６は使用者の手であり、７はその親指、８は人差し指、９は中指、１０は薬指、１１は小指である。形成する素材は薄いポリオレフィンなどの被膜であっても、またやや厚手の皮革でも良い。【００１３】薄いポリオレフィンなどで成形された手袋の場合は主に医療や防菌の用途が多い。着用時は第１の挿入部位１に親指７を、第２の挿入部位２に人差し指８と中指９を、また第３の挿入部位３に薬指１０と小指１１を挿入する。２本ずつ指を揃えて挿入すれば容易に挿入できる。使用時には第２及び第３の挿入部位２及び３には２本の指はそれぞれ自由に動けるだけの余裕がある。
【産業上の利用可能性】
【００１４】以上の説明で明らかなごとく本考案の親指以外の４本の指をそれぞれ２本ずつ挿入部位に挿入する構造となっていることで、薄いポリオレフィンなどの被膜で制作された場合は着脱が極めて容易である。また、厚手の皮革で製作した場合は保温性に優れたものとなり、その技術的効果は極めて著しい
【符号の説明】
【００１５】１    第１の挿入部位
２    第２の挿入部位
３    第３の挿入部位
４    手の平部位
５    手首部位
【図１】
0003235209.tif 000003
(57)【要約】      （修正有）【課題】作業台車などの走行時の衝撃を確実に吸収し手先に大きな負担がかからず又複数の人が使用しても抗菌性能を備えた、弾性材料製ハンドルを提供する。【解決手段】弾性材料製ハンドルはパイプに差し込む構造になっており、内部の２ケ所にテーパーをつけて差し込んだら抜けない構造であり、表面は突起形状２にして、手の接触面を最小限にし抗菌剤を含有させた。【選択図】図１
0003235216.tif 000002
【実用新案登録請求の範囲】
【請求項１】
外周面には複数の突起が設けられ、内面には抜け防止のテーパー構造を特徴とする弾性材料製ハンドル。
【請求項２】
外周面の突起は手の感触を良くするために軟らかくして等間隔に配置する請求項１に記載の弾性ハンドル製ハンドル。
【請求項３】
前記突起は半円形あるいは円錐形である請求項１又は２に記載の弾性材料製ハンドル。
【請求項４】
弾性材料として考えられる弾性材料へ抗菌剤を含有させ不特定多数の使用するハンドル部の抗菌性を保持する請求項１又は２又は３に記載の弾性材製ハンドル。
【考案の詳細な説明】
【技術分野】
【０００１】本考案はハンドル部のあるあらゆる分野の製品の弾性材料製ハンドルに関するものである。
【背景技術】
【０００２】通常パイプ部に差し込み使用しますがハンドル部の内径寸法が大きいと脱落しやすく小さいと手に触れる感触が悪くなる欠点があった。【０００３】複数の作業者、人がハンドル部に手が触れる機会があるので抗菌性に問題があった。
【先行技術文献】
【０００４】
【非特許文献】
【非特許文献】株式会社シナネンゼオミック  ｈｔｔｐｓ：／／ｗｗｗ．ｚｅｏｍｉｃ．ｃｏ．ｊｐ／ｐｒｏｄｕｃｔ／ｉｎｄｅｘ．ｈｔｍｌ  総合カタログの銀系無機抗菌剤「ゼオミック」
【考案の概要】
【考案が解決しようとする課題】
【０００５】ハンドル使用時の脱落防止のためにハンドル内径寸法を１０〜１５％圧縮した状態での使用を前提として内部の２ケ所をテーパー構造として入りやすく抜けずらくする。【０００６】ハンドル部の手に触れる感触が悪い状況の解決として柔らかい材料（ゴムの場合は硬度４０〜６０）を使用する。【０００７】不特定多数の手に触れる可能性があり衛生面が不安であるので抗菌材を含有させ抗菌効果を発揮する。
【課題を解決するための手段】
【０００８】ハンドル使用時の脱落防止のため弾性材料の伸び率を１０〜１５％になるように内径寸法を決定し２ケ所の内径部にテーパーを設ける。【０００９】手の接触面積を最小限になるように半円形の突起をハンドル外周部に設け抗菌効果をあげる。【００１０】不特定多数の人が接触する抗菌対策として抗菌剤を含有させ抗菌対策をし解決している。【００１１】手に接触する表面積を最小限に汚染して汚染を減らすような半円形の突起を設けて解決している。
【考案の効果】
【００１２】上記のように内径寸法を伸び率が１０〜１５％なるように又テーパーを設ける事により脱落防止として役立つている。【００１３】柔軟な素材選定により感触を良くする。【００１４】抗菌剤を含有させた材料で接触面積を最小限にする突起により抗菌効果に役だっている。
【図面の簡単な説明】
【００１５】
【図１】弾性材料ハンドルの平面図、側面図
【図２】弾性材料ハンドルの正面断面図
【図３】Ａ−Ｂ部断面図
【考案を実施するための形態】
【００１６】この考案は適度の抗菌剤を含有させた弾性材料（例えばゴム硬度４０〜６０）を使用しハンドル生産用の金型に充填して加硫を行い製品を作る。
【００１７】使用する金型は考案の条件をみたすように内径寸法、テーパー形状が施してある。
【実施例】
【００１８】この考案の実施例を図１、２について説明すると本体厚み１０〜１５ｍｍに内径部には１５ｍｍにたいして１，１ｍｍのテーパーを２ケ所の内円周部につけて脱落止めとする。【００１９】ハンドルに使用する材料には抗菌剤を含有させ抗菌効果を発揮する。【００２０】ハンドル外周部に半円形の複数の突起を規則正しく配列し手への接触を最小限にする。【００２１】ハンドルに使用する材料の硬さは用途に対応した硬度とすることができる。
【産業上の利用可能性】
【００２２】ハンドルを必要とする機械、台車、ショッピングカートなどのハンドル部に使用できます。
【符号の説明】
【００２３】１ハンドル本体
２ハンドル表面の半円形の突起
３ハンドル内部テーパー
【図１】
0003235216.tif 000003
【図２】
0003235216.tif 000004
【図３】
0003235216.tif 000005
(57)【要約】      （修正有）【課題】冬季において壺がひび割れるのを防止するための器具である壺ヒビワレーズを提供する。【解決手段】壺ヒビワレーズは、空気室１、躯体２、脚３を備え、総重量は壺ヒビワレーズの浮力より大きい。空気室１の下部の中央に水の侵入口５を設ける。冬季において外気温が０度Ｃ以下に下がると水が氷る時に膨張により体積が増え、円周方向に伸びる。体積が膨張した分、水中に設けた空気室の空気を圧縮することで、外方向への膨張を回避する。【選択図】図１
0003235214.tif 000002
【実用新案登録請求の範囲】
【請求項１】
庭園の観賞用の大型陶器が、冬季において外気温が０度以下に下がると水が氷る時の膨張により体積が１．０９倍と増えるため壺がひび割れるのを防止するため、壺の中に空気室を設け体積の増えた水を空気室の空気を圧縮して拘束を解除することを特徴とする壺ヒビワレーズ。
【考案の詳細な説明】
【技術分野】
【０００１】  本考案は、庭園の観賞用の大型陶器の壺の中に空気室を設け、冬季において壺がひび割れるのを防止に関するものである。
【背景技術】
【０００２】  庭園の観賞用の大型陶器の壺は冬季において外気温が０度Ｃ以下に下がると水が氷る時の膨張により体積が１．０９倍と増えることで壺がひび割れていた。
壺の水を抜き取れば良いのだが、雨等が降るので壺に蓋をする方法も有るが、庭園の観賞用の壺としては恰好が悪いので蓋はしたくない。
【考案の概要】
【考案が解決しようとする課題】
【０００３】  解決しようとする問題点は、壺がひび割れの原因は冬季において外気温が０度Ｃ以下に下がると水が氷る時に膨張により体積が１．０９倍と増えるが、水の表面が氷ることで体積が拘束されるので、そのまま氷が自由膨張すると、壺の断面積を円周方向に伸びてひび割れが生じます。
壺は陶器ですので金属に比べて引っ張り強度も小さく限界を超えてひび割れが生じる点である。
【課題を解決するための手段】
【０００４】  本考案は、体積が膨張した分、水中に設けた空気室の空気を圧縮することで拘束を解除し前述の欠点を解決しょうとすることを最も主要な特徴とする。
【考案の効果】
【０００５】  本考案壺ヒビワレーズは、外気温が下がり表面の水が凍っても、水中に設けた空気室は表面水より温度が高いので空気室は凍らないと利点があるので、水が氷る時に膨張により増えた体積の拘束を空気室の空気を圧縮して解除する利点がある。
ただし、空気室の容量は水が凍った体積が膨張した容量の２００パーセント程度確保することで問題点を解決している。
【図面の簡単な説明】
【０００６】
【図１】本考案の「壺ヒビワレーズ」の実施例を示す正面図他である。
【図２】本考案の「壺ヒビワレーズ」の使用方法を示す説明である。
【考案を実施するための形態】
【０００７】  「壺ヒビワレーズ」の空気室本体は必要空気室容量に合わせてペットボトル、プラスチック容器等を使用し、空気室周囲をセメントモルタル等敵宜素材で囲い一体化形成することで、ウエイトにもなり安価に製作することが実現した。
【実施例】
【０００８】  図１は、本考案装置の一実施例の正面図、平面図、断面図であって、▲１▼〜▲５▼は構造を示したものである。
以下、添付図面［図１］に従って、実施例を説明する。
▲１▼空気室は気密性に優れ、耐蝕性のあるプラスチックもしくはアルミ等適宜素材にて一体化形成された空気室本体。
▲２▼躯体は空気室周囲をセメントモルタルート等適宜素材にて一体化形成されたもので、空気室を保護するものである。
▲３▼脚は水の侵入口が壺の底面より離すもので水の侵入口の凍結を防ぐものとする。
▲４▼ウエイトは空気室、躯体、脚の総重量で、壺ヒビワレーズの浮力より大きくすることで、安定して設置することができる。
▲５▼水の侵入口は空気室が多少の傾きから空気が外に出るのを防ぐため空気室の下部の中央から水が空気室に入るような構造とした。
【符号の説明】
【０００９】  ▲１▼空気室
▲２▼躯体
▲３▼脚
▲４▼ウエイト
▲５▼水の侵入口【００１０】  以下、添付図面［図２］に従って、使用方法を説明する。
「壺ヒビワレーズ」を壺に設置する時は天地を間違えないように水平に設置すること。
＊もし天地を逆に設置したら空気室に水が入り空気室の機能が無くなる。【００１１】  以下、添付表［表１］に従って、対象壺を説明する。
▲１▼  「壺ヒビワレーズ」の諸元並びに「壺ヒビワレーズ」の対象壺を説明する。
▲２▼  壺にも直径、高さといろんなタイプが有るが、対象壺は壺の直径から選ぶこととした。
▲３▼  壺が設置されている地域が温暖地か寒冷地かによって選ぶこととした。【００１２】  以下、添付表［表２］に従って、壺の諸元より「壺ヒビワレーズ」空気室必要容量決定根拠を説明する。
▲１▼  壺にも直径、高さといろんなタイプが有るが、壺の諸元から水が氷る体積を計算し、陶器の破壊加重から耐えられる水圧の上昇を計算し、水が氷ることで増える体積から、空気室必要容量を求める。
▲２▼  空気室必要容量は、表面の氷の厚さを３Ｃｍ程度で検討したので、氷の厚さが３Ｃｍを超える寒冷地においては１ランク上げることが必要である。【００１３】  以下、添付表［表３］に従って、空気室の必要容量より「壺ヒビワレーズ」の諸元決定方法を説明する。
▲１▼  空気室必要容量から空気室の形状を決める。
▲２▼  ウエイト（空気室、躯体、脚の総重量）は「壺ヒビワレーズ」の浮力より大きくすることで、安定して設置することができるように形状を決める。
▲３▼  実際の製作にあたっては、空気室本体は入手が容易なペットボトル、プラスチック容器、台所用ボウル、洗い桶等を使用することでコストを下げる。
【図１】
0003235214.tif 000003
【図２】
0003235214.tif 000004
(57)【要約】      （修正有）【課題】ウォッシュレットの使い過ぎによる排便障害の改善を目的とする座面シートを提供する。【解決手段】肛門を押さえるよう山型座面を形成する突起部を備える座面シートとする。排便後３０分程度突起部分を肛門に当てて座ることで、脱肛を元の位置に戻す。【選択図】図１
0003235213.tif 000002
【実用新案登録請求の範囲】
【請求項１】
痔疾、特に脱肛を山型座面で押さえて戻し、痛み、便もれ、大腸菌による膀胱炎を軽減する床面、椅子、ソファーの上に置いて使うシート。
【請求項２】
使用箇所が繊細な箇所になるため、リアルさを避ける目的で、手に取りやすいよう突起部分に花、動物、食品などのイラストが描かれている［請求項１］のようなシート。
【請求項３】
使用中姿勢が伸びることで、骨盤矯正、腰痛改善の効果を併せ持つ［請求項１］のようなシート。
【考案の詳細な説明】
【技術分野】
【０００１】  本考案は肛門を押さえるよう山型部分をプラスチック等で成型し、座面を一体化させたシートである。
【背景技術】
【０００２】  痔疾の治療法として、ドーナッツ型クッションを使う、患部に塗り薬や座薬を使う、手術をするなどの方法がある。しかしドーナッツ型クッションは患部に座面などが当たらないようにして痛みを回避するのみであり、塗り薬や座薬は腫れを鎮めて痛みを緩和するが、痔疾そのものはなかなか治らない。突起物を肛門に当てる形状の物もあるが、突起部分がピンポイントであるため、肛門に当てづらく位置を定めるのに時間を要し、また使用中に位置がずれ易く使いづらい。
【考案の概要】
【考案が解決しようとする課題】
【０００３】  近年ウォッシュレットの使い過ぎによる温水便座症候群が問題となっている。ウォッシュレットの使い過ぎは肛門の粘膜を傷つけ、かゆみ、痛みに始まり、便もれや大腸菌が尿道から侵入することで膀胱炎を発症するなど、粘膜のバリア機能を破綻し、炎症や感染症を発生、悪化させることが分かっている。また肛門付近の筋力が緩むことにより、溜まったガスを抑止できなくなる等の症例もある。
本考案はこうした症状を改善することを目的に山型シートで肛門を押さえ、飛び出した痔核を押し戻すことにより脱肛を改善する。ウォッシュレットの適切な使用は肛門を清潔に保つことに大いに役立つことから、脱肛を改善して肛門粘膜の機能を取り戻し、ウォッシュレットの使用に耐えられるようにする。
【課題を解決するための手段】
【０００４】  従来の肛門だけを押さえる形状の物の場合、座る時に手を添えて位置を定める煩わしさとその行為を他人に見られる羞恥心があり、その上ずれ易い。本考案はこうした課題を解決するために、山脈状の山を作ることによって、座る位置を簡単に選べ、位置がずれにくい形状にした。シート部分は椅子やソファー座面に置いて座っても割れないように塩ビやシリコン等の素材を使用する。
【考案の効果】
【０００５】  本考案は、肛門だけにピンポイントで当てるひとつの山型と比べて連山型であるため可動範囲があり、他人に気づかれず、手を添えてガイドする必要なく使用できる。また使用中もずれないので効果は大きい。加えて座面で臀部を分けて座ることにより、骨盤が正しい位置になり、腰痛改善の効果も期待できる。
【図面の簡単な説明】
【０００６】
【図１】本考案の脱肛を緩和する座面シートの実施例を示す正面図である。
【図２】本考案の脱肛を緩和する座面シートの実施例を示す立面図である。
【図３】本考案の脱肛を緩和する座面シートの実施例を示す、斜め上方から見た図である。
【考案を実施するための形態】
【０００７】  以下、本考案の実施の形態である脱肛を緩和する座面シートの一例について、図面に基づいて説明する。
【０００８】  上記形態は本考案の原理およびその概念を例示するための具体的な実施の形態として記載したにすぎない。本考案は上記実施の形態に限定されるものではない。本考案は、例えば次のように変更した態様で具体化することも可能である。
・材料やサイズについて、上記は一例である。他の素材やサイズの脱肛を緩和する座面シートに適用することが可能である。
本考案は上述した実施の形態に記載の構成に限定されない。上述した実施の形態や変更例の構成要素は任意に選択して組み合わせて構成できる。また実施の形態や変更例の任意の構成要素と、課題を解決するための手段に記載の任意の構成要素を具体化した構成要素とは任意に組み合わせて構成できる。これらについても本願の補正または特許出願への変更等において権利取得する意思を有する。
【符号の説明】
【０００９】    （Ａ）は三角柱を横にした形で、点線のところは丸みがある。
（Ｂ）は本考案を固定して一体化するシート。（Ｃ）のところにイラストを描いてもよい。
【図１】
0003235213.tif 000003
【図２】
0003235213.tif 000004
【図３】
0003235213.tif 000005
【手続補正書】
【提出日】令和3年9月1日(2021.9.1)
【手続補正１】
【補正対象書類名】実用新案登録請求の範囲
【補正対象項目名】全文
【補正方法】変更
【補正の内容】
【実用新案登録請求の範囲】
【請求項１】
肛門を押さえるよう山型座面を形成する突起部を備える、座面シート。
【請求項２】
使用箇所が繊細な箇所になるため、リアルさを避ける目的で、手に取りやすいよう、前記山型座面を形成する突起部を含む全面に花、動物、食品などのイラストが描かれている〔請求項１〕に記載のシート。
【請求項３】
使用中姿勢が伸びることで、骨盤矯正、腰痛改善の効果を併せ持つ〔請求項１〕に記載のシート。
(57)【要約】      （修正有）【課題】歯ブラシと歯間ブラシが一体化した一体型歯間歯ブラシを提供する。【解決手段】歯ブラシ本体のヘッド部に複数のブラシ毛による毛束が植設され、各ブラシ毛１は３６０度方向に突きが形成されている。【選択図】図１
0003235226.tif 000002
【実用新案登録請求の範囲】
【請求項１】
歯ブラシと歯間ブラシの一体化を設けて、（２）一体型歯ブラシ歯間ブラシとなる。この一体化した歯ブラシ歯間ブラシの毛状（１）は３６０度方向に突きがあり、これは、通常の歯間ブラシを形成している。一体型歯間歯ブラシとなる。
この技術的な部分が私の権利です。
【考案の詳細な説明】
【技術分野】
【０００１】この発明は、歯ブラシと歯間ブラシが一体化して歯ブラシになる事に関するものである。
【背景技術】
【０００２】従来、歯ブラシと歯間ブラシは、別々になっていた。
【先行技術文献】
【特許文献】
【０００３】
【考案の概要】
【考案が解決しようとする課題】
【０００４】（イ）これは、次のような欠点があった。歯を磨く時、歯ブラシではじめに歯を磨きます。その後、歯間ブラシで、歯と歯の隙間のプラーク（食べかす）を掻き出す為に歯間ブラシを使用致します。
従来は、二度手間がかかっていたわけである。
（ロ）従来の歯ブラシには、毛に掻き出し突きは、ついてない。毛は押す一方方向だけの力の運動しか働かないため、歯と歯の隙間のプラーク（食べかす）などを掻き出すことが出来なかった為、別途歯間ブラシを使用していた。
本発明は、以上のような欠点をなくすためになされたものである。
【課題を解決するための手段】
【０００５】部品の形状は、従来の歯ブラシと歯間ブラシが一体化します。
従来の歯を磨く作業で歯間ブラシを使用したまでの効果をもたらす事が出来る。
一つの動作で二つの作業まで出来て、非常に効率的である。
一体型歯ブラシ歯間ブラシの、一本一本の毛に、３６０度方向に突きがあり、これは通常の歯間ブラシを形成している。
本発明は、以上の構成よりなる、一体型歯ブラシ歯間ブラシである。
【考案の効果】
【０００６】（イ）歯ブラシと歯間ブラシを一体化させて、歯磨きすると、歯と歯の隙間や、歯の表面、裏側までも、同時に綺麗に、プラーク（食べかす）も、掻き出し洗い磨き落とす事ができる。
（ロ）一体型ブラシ一本一本の毛から３６０度方向に、もみの木状に広がったブラシは歯と歯の隙間に一本の束になって入りみ、出るときは、もり状になっていてもプラスチックでやわらかく、楽に歯と歯の隙間に入り込み掻き出し突き付ブラシによって歯と歯の隙間のプラーク（食べかす）を掻き出す事ができる。
（ハ）一つの作業で、歯磨きの効果と歯間ブラシを使用した効果が見込める。
一つの動作で二つの作業まで出来て、非常に効率的である。
いちばん肝心な歯と歯の間のプラーク（食べかす）を掻き出し綺麗に洗い磨き落とす事ができる。
【図面の簡単な説明】
【０００７】
【図１】本発明のブラシ一本の毛の正面図である。
【図２】本発明の一体化した、一体型歯ブラシと歯間ブラシの正面図である。
【図３】本発明の一体化した、歯ブラシと歯間ブラシの効果を表現した正面図である。（一体化した歯ブラシの毛は全体的にありますが、伝わりにくいため歯と歯の隙間は少数の毛で表しています。）
【考案を実施するための形態】
【０００８】以下、本発明を実施するための形態について説明する。
（１）ブラシの一本の毛は３６０度毛状である。
（２）従来の歯ブラシと歯間ブラシが一体型になる。
（３）３６０度方向毛状で成り立っている。
（４）一つの動作にて二つの方向へ運動が可能となり小さな動作にて効果が大となる。
（５）横の運動が縦方向に作用しその効果が大きくなる。
（６）掻き出し突き毛をつける事により一方方向の力の運動と引く力、つまり上下左右の運動が加わる事により、歯と歯の隙間のプラークを（食べかす）を掻き出すことができる。
【符号の説明】
【０００９】１  歯ブラシのプラスチックの一本の毛
２  一体化した歯ブラシ歯間ブラシ
３  歯ブラシのプラスチックの一本の毛
４  押し引き上下運動
５  押し引き左右運動
６  押し引き掻き出し運動
【図１】
0003235226.tif 000003
【図２】
0003235226.tif 000004
【図３】
0003235226.tif 000005
【手続補正書】
【提出日】令和3年6月15日(2021.6.15)
【手続補正１】
【補正対象書類名】実用新案登録請求の範囲
【補正対象項目名】全文
【補正方法】変更
【補正の内容】
【実用新案登録請求の範囲】
【請求項１】
植毛一本、一本のブラシ毛は、３６０度方向に突きを形成するヘッド部に複数の毛束が植設されることを特徴とする一体型歯間歯ブラシ
【請求項２】
植毛一本、一本のブラシ毛は、３６０度方向に、凹凸に形成するヘッド部に複数の毛束が植設されることを特徴とする一体型歯間歯ブラシ
【請求項３】
請求項１、請求項２のブラシ毛の本数、毛束は、ヘッド部の形、大きさにより定める一体型歯間歯ブラシ
【請求項４】
請求項１、請求項２のブラシ毛は、歯ブラシ本体のヘッド部に植毛し複数の毛束が植設され一体化させた一体型歯間歯ブラシ
【請求項５】
請求項１、請求項２のブラシ毛は、プラスチック、合成ゴムで形成する一体型歯間歯ブラシ
【手続補正書】
【提出日】令和3年9月10日(2021.9.10)
【手続補正１】
【補正対象書類名】実用新案登録請求の範囲
【補正対象項目名】全文
【補正方法】変更
【補正の内容】
【実用新案登録請求の範囲】
【請求項１】
植毛一本のブラシ毛に３６０度方向に突きで形成を特徴とする一体型歯間歯ブラシ
【請求項２】
請求項１のブラシ毛の本数、毛束は、ヘッド部の形、大きさにより定める一体型歯間歯ブラシ
【請求項３】
請求項１のブラシ毛は、歯ブラシ本体のヘッド部に植毛し複数の毛束が植設され一体化させた一体型歯間歯ブラシ
【請求項４】
請求項１のブラシ毛は、プラスチック、合成ゴムで形成を特徴とする一体型歯間歯ブラシ
(57)【要約】      （修正有）【課題】横になって快適に読書をするためのアーチパネル読書セットを提供する。【解決手段】透明樹脂プレート２を半円状に曲げアーチ状にしその上側に本４を載せ、下で横になっている人が頭部に取り付けたヘッドライト６で読むことが出来るようにする、アーチ状にした樹脂板両端脚部に取り付けた重錘１をずらし適切な形状とし、載せた本がずれないよう金属製のすべり止め５を付けた巾２０センチのゴムバンド３を設ける。【選択図】図１
0003235289.tif 000002
【実用新案登録請求の範囲】
【請求項１】
アーチパネル読書セットは、柔軟性のある高強度透明樹脂プレートをアーチ状に曲げた形状とし、両端の脚部に位置決め用重錘を設け、アーチ上面に滑り止めを備えた書籍固定用ゴムバンドを設け、着脱式ヘッドライトを具備することを特徴とするアーチパネル読書セット。
【考案の詳細な説明】
【技術分野】
【０００１】寝転んで本を読みたい、子供の頃からのクセで大人になった今でも抜けない、受験生の当時は机に向かっての長時間姿勢はきつく、冬でもあり耳は冷たく鼻水は出っ放し足先も手指も、凍るように冷たく毛布を被っての日々でした、布団にもぐって温々と勉強したい、長年の夢であります。
【背景技術】
【０００２】横になっての読書、結構きつく思うほど楽でない、胸とか背中の腰部分がきつくなり横向きに体を変えると、押さえられている肩の方がつらくなり仰向けになると、今度は本を支えている腕が冷えたりだるくなり又変える、これの繰り返しである、この連鎖を軽くし快適なものにする考案であります。
【先行技術文献】
【特許文献】
【０００３】
【非特許文献】
【０００４】
【考案の概要】
【考案が解決しようとする課題】
【０００５】横になって本を読む姿勢を考えた場合、目の位置と文面との間隔をたえず適切な距離に保つための手の働きがキーポイントとなる、この固定による疲労と体の各部もこれにつられ緊張をしられる、これを少しでもほぐし和げんとするものであります。
【課題を解決するための手段】
【０００６】長さ１．６ｍ×巾４０センチ程度の透明な柔軟性のある高強度樹脂板厚さ約３ミリ程度を、半円状に曲げアーチ状にしその上側に本を載せ、下で横になっている人が頭部に取り付けたヘッドライトで読むことが出来るようにする、目との距離も一定になるため余分な作業が少なくてすむ、又アーチ状にした樹脂板の両端部に取り付けた重錘をずらすことにより、アーチの形状をその人に合ったものにし、載せた本がズレないよう広巾のゴムバンドを設置し、これにズレ妨止用のすべり止を取り付ける、収納も平板にするなりロール状に丸めるなり簡単であります。
【考案の効果】
【０００７】・仰向けの場合：両手をフトンの中にいれることが出来冬場は助かる
・横向きの場合：両手が空いているため気が向けば腕枕ができる
・うつ伏せの場合：ヘッドライトにより文面が明るくたすかる
・寝相を変える場合等：本の位置をずらす・ページを変える・スベリ止をずらす等操作も容易である、又就眠するときもそのままでよく収納も場をとらず使用しやすい。
【図面の簡単な説明】
【０００８】
【図１】  アーチパネル読書セット外観図
【考案を実施するための形態】
【０００９】アーチパネル読書セット外観図［図１］に示しますように、柔軟性のある透明樹脂プレートを半円状に曲げアーチ状にし、その上に本を載せ下で横になっている人が頭にセットしたヘッドライトで照らすことにより読書が出来るようにしたものであります。
【実施例】
【００１０】ポリカーボネイト樹脂板等、柔軟性高強度の透明樹脂プレートを採用し厚みも３〜４ミリ程度とし書籍の重量に耐える剛性を有するものとし、本の位置が目から３０センチ程度となるよう又、Ａ４判の本が乗るよう長さ１．６ｍ×巾０．４ｍ程の大きさとし、アーチの形状を変えられるよう両端脚部に重錘を取り付け、載せた本を留める為巾２０センチ程のゴムバンドを取りつけ、これに本がズレないよう金属製のすべり止めを設ける。
【符号の説明】
【００１１】１  位置決め用重錘            ７  すべり止めの裏。面ツメ
２  透明樹脂プレート          ８  利用者
３  固定用ゴムバンド
４  書籍本
５  すべり止め
６  着脱式ヘッドライト
【図１】
0003235289.tif 000003
【図２】
0003235289.tif 000004
【手続補正書】
【提出日】令和3年10月8日(2021.10.8)
【手続補正１】
【補正対象書類名】明細書
【補正対象項目名】０００８
【補正方法】変更
【補正の内容】
【０００８】
【図１】  アーチパネル読書セット外観図
【図２】  収納外観図
(57)【要約】      （修正有）【課題】交通誘導、交通整理などを行う際、コロナ禍であろうと関係なく警笛の使用ができる携帯警笛を提供する。【解決手段】携帯警笛は、基板、音源及び電源が組み込まれた本体ケース１と、本体ケース１に取り付けられたスピーカー２と、本体ケース１に接続されたスイッチとを備え、スイッチを押すことで電子警笛音が鳴り、警笛に代えて用いることができる。【選択図】図１
0003235234.tif 000002
【実用新案登録請求の範囲】
【請求項１】
警笛音に変わる電子警笛音を出せる携帯警笛。
【考案の詳細な説明】
【技術分野】
【０００１】
本考案は交通整理等に用いられる警笛に関するものである。
【背景技術】
【０００２】
従来の警笛は人が唇で吹くものであった。しかしこのコロナ禍ではマスク着用が必須なため警笛を無条件に用いることができない状況になっているのである。この状況を凌駕するため携帯警笛を鳴らすものとしたのである。
【先行技術文献】
【非特許文献】
【０００３】
（株）ジェイウィン  総合カタログ２０２０  １６ページ
【考案の概要】
【考案が解決しようとする課題】
【０００４】
本考案は警笛を必要な時に必要に応じて警笛を鳴らす事を目的としている。
【課題を解決するための手段】
【０００５】
上記目的を達成するために、本考案は警笛音を電子警笛音に変え、それを単体の携帯警笛に収納し、そのスイッチを押すことで電子警笛音が鳴り、警笛に変わるものとするものである。
【考案の効果】
【０００６】
以上の説明から明らかのように、本考案にあっては次に列挙する効果がえられる。
（１）  携帯警笛を用いることで、コロナ禍であっても必要な時に必要に応じて警笛に模した電子警笛音を鳴らす事ができるのである。
（２）  前記（１）によって警笛の強弱を電子警笛の制御盤上で制御できるため警笛と同じように携帯警笛を用いることができるのである。
【図面の簡単な説明】
【０００７】
【図１】本考案を実施するための斜視図である。
【考案を実施するための形態】
【０００８】
以下、本考案の実施の形態を図に基づいて説明する。
【実施例１】
【０００９】
図１は、携帯警笛の外観図である。４固定ベルトの上に３スイッチ付きベルトを巻き付け、面ファスナーで固定できるようにしてあり、スイッチの押し具合で携帯警笛の音を選ぶことができるのである。１本体ケースには基盤、音源そして電源が組み込まれてあり、その上に２スピーカーを取り付け、２スピーカーを音の出したい方向に向けてスイッチを押すのである。
【産業上の利用可能性】
【００１０】
交通誘導、交通整理などを行う際、コロナ禍であろうと関係なく警笛の使用が必要とされるのである。しかし人混み等を考慮すべきとき、警笛を人混みに向けることが憚られるのである。このような時、携帯警笛を用いることで、必要な時に必要に応じて警笛音に模した電子警笛音を出して交通誘導、交通整理ができるのである。また手首に携帯警笛を装着して指導等を行う時、両手がフリーになるため行動の幅が広くなるのである。
【符号の説明】
【００１１】
１本体部
２スピーカー
３スイッチ付きベルト
４固定ベルト
【図１】
0003235234.tif 000003
【手続補正書】
【提出日】令和3年10月10日(2021.10.10)
【手続補正１】
【補正対象書類名】実用新案登録請求の範囲
【補正対象項目名】全文
【補正方法】変更
【補正の内容】
【実用新案登録請求の範囲】
【請求項１】
基板、音源及び電源が組み込まれた本体ケースと、該本体ケースに取り付けられたスピーカーと、該本体ケースに接続されたスイッチとを備える携帯警笛であって、該スイッチを押すことで、携帯音に変わる電子警笛音をスピーカーより出せる携帯警笛。  
【手続補正書】
【提出日】令和3年10月11日(2021.10.11)
【手続補正１】
【補正対象書類名】実用新案登録請求の範囲
【補正対象項目名】全文
【補正方法】変更
【補正の内容】
【実用新案登録請求の範囲】
【請求項１】
基板、音源及び電源が組み込まれた本体ケースと、該本体ケースに取り付けられたスピーカーと、該本体ケースに接続されたスイッチとを備える携帯警笛であって、該スイッチを押すことで、警笛音に変わる電子警笛音をスピーカーより出せる携帯警笛。
(57)【要約】      （修正有）【課題】單純な構造で、キャベツを効率的にスライスできるスライサーを提供する。【解決手段】所定の角度Ａを保って柄１が刃形部分２と平面的に接続させるように設け、この刃３の部分をキャベツの切断面に当てて、柄を手前に引くことによって良好なスライスを得るようにした。【選択図】図１
0003235235.tif 000002
【実用新案登録請求の範囲】
【請求項１】
所定の角度を保って柄が刃形部分と平面的に接続されるように設け、この刃の部分をキャベツの切断面に当てて、柄を手前に引くことによって良好なスライスを得るようにしたスライサーの構造。
【考案の詳細な説明】
【技術分野】
【０００１】  本考案は、キャベツを効率良くスライスするための器具に関する。
【背景技術】
【０００２】  從来のキャベツのスライスに関しては、効率的に行えるものが見当らず、包丁で切るしかない不便さがあった。
【考案の概要】
【考案が解決しようとする課題】
【０００３】  本考案は、このような問題点を解決しようとするものであり、刃の部分が所定の角度に保たれて、効率よくスライスを行えるようにした器具を提供しようとするものである。
【課題を解決するための手段】
【０００４】  そして、本考案は、上記の目的を達成するために、所定の角度を保って、柄が刃形部分と平面的に接続されるように設け、この刃の部分をキャベツの切断面に当てて、柄を手前に引くことによって良好なスライスを得るようにしたものである。
【考案の効果】
【０００５】  本考案のスライサーは、柄と刃物部分とに所定の角度が設けられて居るために、刃先が効率的にキャベツの断面をスライスすることが可能となり
0003235235.tif 000003
が得られる。
【図面の簡単な説明】
【０００６】
【図１】  本考案の器具の平面図
【図２】  同器具の側面図
【図３】  同器具の第２図のＡ−Ａ線の断面図
【考案を実施するための形態】
【０００７】  以下、本考案の実施の形態を図１〜３図に基づいて説明する。
【０００８】  図１には柄と刃物部分との接続角度が示されている。
【０００９】  図２には、柄と刃物部分とが平面的に接続されていることが示されている。
【００１０】  図３には、図２のＡ−Ａ線の断面図が示されている。
【符号の説明】  １、  柄
２、  刃形部分
３、  刃
【図１】
0003235235.tif 000004
【図２】
0003235235.tif 000005
【図３】
0003235235.tif 000006
(57)【要約】      （修正有）【課題】飲食店舗において、席数のロスを少なくすることを目的として、客の入りや予約の状況に合わせて客席レイアウトを変更するとき、多彩な美観の変化を伴うことで客に視覚的な楽しみを提供するテーブルを提供する。【解決手段】テーブルは、テーブル天板を木目調に染められた半面１と塗りつぶしで塗装された残り半面２に塗り分け、木目調を２色から、塗りつぶしを３色から選択することでテーブル天板は６種類の色彩バリエーションを持ち、２卓のテーブルを並べたときの組み合わせは２１通り、２卓のうち１卓を１８０度回転すれば市松模様になり、組み合わせは合計で２倍の４２通りとなる。多様な色彩バリエーションにより客席レイアウトを変更するとき、テーブル天板の色彩の組み合わせがパズルの様に華やかに変化をして視覚的演出となり、店の魅力づくりに役立つ。【選択図】図１
0003235231.tif 000002
【実用新案登録請求の範囲】
【請求項１】
二人用テーブルの天板を木目調に染めた半面と塗りつぶしで塗装した残り半面に塗り分け、２卓を並べて四人用客席や３卓を並べて六人用客席として飲食店で使用する。その色彩の組合せ方による美観の変化を楽しむことを特徴とするテーブル
【考案の詳細な説明】
【技術分野】
【０００１】  本考案は、テーブル天板を半面で２色に塗り分けた、飲食店舗用のテーブルに関するものである。
【背景技術】
【０００２】  飲食店において席数のロスを少なくすることを目的として、２人用テーブルを並べて４人席や６人席を作り、客の入りや予約の状況に合わせて客席レイアウトを変更している。
【考案の概要】
【考案が解決しようとする課題】
【０００３】  ２人用テーブルの使用による客席レイアウトの変更は、店側にとっては席数のロスを少なくする目的は果たせているが、客側にとってメリットはなく、店の魅力の上昇に繋がっていない。そこでテーブル天板を２色に塗り分け、テーブルの並べ方や客席レイアウトの変更に対して美観の変化を伴うことで、客に視覚的な楽しみを提供し、前述の欠点を解決しよとするものである。
【課題を解決するための手段】
【０００４】  一般のテーブル天板の美観は、質感を優先した木目調の染色の塗装の物と、色彩のカラフルさを優先した塗りつぶしの塗装の物に分かれる。本考案はその両方を半面で塗り分けることで美観に特徴を持たせたテーブル天板としている。【０００５】  テーブル天板全面を染色用の塗料で染める。次にテーブル天板の長手方向の半面を塗りつぶし用の塗料で塗装する。最後にテーブル天板全面を透明にコーティングする。これにより木目調の染色と塗りつぶしの塗装とで半面で塗り分けられたテーブル天板となる。【０００６】  テーブルを並べ換えた時の美観の変化を多彩にするため、木目調の染色用の塗料を白木（クリア色）・オーク（こげ茶色）の２色から選び、塗りつぶし用の塗料を金色・銀色・銅色の３色から選ぶ。
【考案の効果】
【０００７】  本考案は、木目調の染色と塗りつぶしの塗装に塗り分けた天板のテーブルを使用して客席をレイアウトすることで、客席レイアウトを変更するたびにその美観がパズルの様に華やかな変化を伴い、客に視覚的な楽しみを提供する。【０００８】  本考案は客席レイアウトを変更する時に美観を変化させるだけでなく、客席レイアウトを変えずに色彩バリエーションの違うテーブルの位置の交換で簡単に店内の模様替えができる。【０００９】  本考案の、１枚のテーブル天板の色彩バリエーションは２×３の６種類となり、２卓のテーブルを並べた時の美観の組み合わせは、同じ色の組み合わせが６通りと、違う色の組み合わせが６×５÷２の１５通りで合わせて２１通りとなる。また２卓のテーブルのうち１卓のテーブルを１８０度回転させれば木目調の染色と塗りつぶしの塗装の市松模様をつくるので２卓のテーブルの美観の組み合わせの合計は２倍の４２通りとなる。【００１０】  本考案は［０００６］の木目調の染色用の塗料の色目や塗りつぶし用の塗料の色彩以外の色を使用しても同じ効果がある。また、塗りつぶし用の塗料どうしの塗り分けでも同様の効果が得られる。
【図面の簡単な説明】
【００１１】
【図１】本考案の２色に塗り分けられたパズルテーブルの天板上面図である。
【図２】２卓を並べて１卓のテーブルを１８０度回転させた時の市松模様。
【図３】４種類の色彩バリエーションを２卓づつ使用した時に同じ色を並べた組合せ
【図４】［図３］のそれぞれ１枚を１８０度回転させた市松模様の組合せ
【図５】［図３］を木目調の色だけを揃えて並べ換えた組合せ
【図６】［図３］を全てバラバラな色に並べ換えた組合せ
【符号の説明】
【００１２】１  木目調に染められたテーブル天板の半面
２  塗りつぶしで塗装されたテーブル天板の残り半面
３  白木（クリア色）
４  金色
５  オーク（こげ茶色）
６  銀色
【図１】
0003235231.tif 000003
【図２】
0003235231.tif 000004
【図３】
0003235231.tif 000005
【図４】
0003235231.tif 000006
【図５】
0003235231.tif 000007
【図６】
0003235231.tif 000008
【手続補正書】
【提出日】令和3年9月10日(2021.9.10)
【手続補正１】
【補正対象書類名】実用新案登録請求の範囲
【補正対象項目名】全文
【補正方法】変更
【補正の内容】
【実用新案登録請求の範囲】
【請求項１】
二人用テーブルの天板を木目調に染めた半面と塗りつぶしで塗装した残り半面に塗り分けることで、２卓を並べて四人用客席や３卓を並べて六人用客席として飲食店で使用するときに、その色彩の組合せ方による美観の変化を楽しむことが可能であることを特徴とするテーブル
(57)【要約】      （修正有）【課題】地盤面と建築物基礎を分離するスペースに設置される、鋼球入り鋼製格子による免震装置を提供する。【解決手段】地盤９に鋼製平板８を設置固定する。その上に、鋼製格子２を置き、格子の空洞部へ必要数量鋼球３を入れる。その上に、鋼製平板８を置き、建物基礎４の下部に設置する。その上に、建物基礎４、建物梁７を施工する。【選択図】図２
0003235503.tif 000002
【実用新案登録請求の範囲】
【請求項１】
地盤及び建物それぞれに鋼板を固定貼り付けし、その間に鋼球入り鋼製格子を配置し、地震による揺れを免震させることを特徴とした構成。
【考案の詳細な説明】
【技術分野】
【０００１】本考案は、建築物地盤面と建築物基礎を分離させたスペースに使用することに関する。
【背景技術】
【０００２】従来は、スライス状ゴムと鋼板を複数枚重ねる方法や、鋼製皿板の間に１個単位の鋼球を配置し地震の際スライドし、地面による揺れの伝達を緩和させ、元の位置へ移動させる免震構造が主流であった。
【考案の概要】
【考案が解決しようとする課題】
【０００３】しかしながら、既存の構造構成製品だけでは、その特殊性、高額ゆえに普及対応に限度があったため木造建築物、鉄筋コンクリート、鉄骨構造などへの使用がせばめられていた。
【課題を解決するための手段】
【０００４】本考案は、コンクリート地盤面と、建築物基礎下部面に、十分な厚みの鋼板を配置固定し、地盤側鋼板と建物基礎側鋼板との間に鋼球入り鋼製格子を挟み、地震の際の揺れを鋼球の動きによって免震し、その際、鋼製格子で複数の鋼球が離散しないようにした。
【考案の効果】
【０００５】上記目的を達成するため、請求項１に係る鋼球入り鋼製格子免震構成は、施工の簡易性、低価格により、従来の免震装置に比べ、被災規模の大きかった小規模建築及び住宅等への使用で建物損壊の減少を目的とする。
【図面の簡単な説明】
【０００６】
【図１】本考案実施の鋼球入り鋼製格子配置状態の平面図である。
【図２】本考案実施の地盤と建物基礎間での、鋼球入り鋼製格子取付状態の断面図である。
【図３】本考案実地の地盤面及び建物基礎間、鋼球入り鋼製格子取付状態の斜視図である。
【符号の説明】
【０００７】１  壁
２  鋼製格子
３  鋼球
４  建物基礎
５  防舷材等
６  建物柱
７  建物地梁
８  鋼製平板
９  地盤
【図１】
0003235503.tif 000003
【図２】
0003235503.tif 000004
【図３】
0003235503.tif 000005